(57)【要約】      （修正有）【課題】  傷つき易いサンゴの卵・幼生を傷つけることなく確実に採取することができ、しかも、安定した環境下で保育する。【解決手段】  卵・幼生採取の目標となる標的サンゴの上方に、浮力付与体１に取り付けられて底部開放状態でサンゴの卵・幼生を採取する採取領域を区画すると共に底部閉塞状態でサンゴの卵・幼生を保育する保育領域を区画する領域区画部材２と、少なくとも上記領域区画部材の保育領域を区画する部分に設けられてこの保育領域からサンゴの卵・幼生が外部に流出するのを防止する通水可能な換水ネット孔５とを備えたトラップ保育装置を配置し、サンゴの卵・幼生採取時には上記領域区画部材を底部開放状態で海底の標的サンゴ付近上方まで垂下し、産卵されて採取領域内を浮上するサンゴの卵・幼生を採取し、また、サンゴの卵・幼生保育時には上記領域区画部材の下部を閉塞して形成された保育区画内で採取したサンゴの卵・幼生を保育する。【選択図】        図１
2005073600.tif 000002
【特許請求の範囲】
【請求項１】
サンゴ生息海域の海上であって、卵・幼生採取の目標となる標的サンゴの上方に、浮力付与体と、浮力付与体に取り付けられて底部開放状態でサンゴの卵・幼生を採取する採取領域を区画すると共に底部閉塞状態でサンゴの卵・幼生を保育する保育領域を区画する領域区画部材と、少なくとも上記領域区画部材の保育領域を区画する部分に設けられてこの保育領域からサンゴの卵・幼生が外部に流出するのを防止する通水可能な換水ネット孔とを備えたトラップ保育装置を配置し、サンゴの卵・幼生採取時には上記領域区画部材を底部開放状態で海底の標的サンゴ付近上方まで垂下し、産卵されて採取領域内を浮上するサンゴの卵・幼生を採取し、また、サンゴの卵・幼生保育時には上記領域区画部材の下部を閉塞して形成された保育区画内で採取したサンゴの卵・幼生を保育することを特徴とするサンゴ卵・幼生のダイレクトトラップ保育方法。
【請求項２】
トラップ保育装置にはその浮力付与体に散水装置が設けられており、この散水装置により、サンゴの卵・幼生保育時に保育領域の外部から海水を汲み上げて領域区画部材の保育領域内喫水線上部近傍に散水する請求項２に記載のサンゴ卵・幼生のダイレクトトラップ保育方法。
【請求項３】
サンゴ生息海域の海上であって、卵・幼生採取の目標となる標的サンゴの上方に浮かべられる浮力付与体と、この浮力付与体に取り付けられ、サンゴの卵・幼生採取時には浮力付与体から底部開放状態で海底の標的サンゴ付近上方まで垂下され、産卵されて浮上するサンゴの卵・幼生を採取する採取領域を区画し、また、採取したサンゴの卵・幼生保育時には底部が閉塞され、採取したサンゴの卵・幼生を保育する保育領域を区画する領域区画部材と、少なくとも上記領域区画部材の保育領域を区画する部分に設けられ、保育領域からサンゴの卵・幼生が外部に流出するのを防止する通水可能な換水ネット孔とを備えていることを特徴とするサンゴ卵・幼生のダイレクトトラップ保育装置。
【請求項４】
浮力付与体には、保育領域の外部から海水を汲み上げ、領域区画部材の保育領域内喫水線上部近傍に散水する散水装置が設けられている請求項３に記載のサンゴ卵・幼生のダイレクトトラップ保育装置。
【請求項５】
領域区画部材は、上部に保育領域の周囲を区画する上部筒状部と、この上部筒状部の下端周縁部に設けられ、サンゴの卵・幼生採取時には少なくとも底部開放状態で海底の標的サンゴ付近上方まで垂下されて採取領域を区画し、また、サンゴの卵・幼生保育時には上記上部筒状部の底部を閉塞して保育領域を区画する下部垂下部とを有する請求項１又は２に記載のサンゴ卵・幼生のダイレクトトラップ保育装置。
【発明の詳細な説明】
【技術分野】
【０００１】
この発明は、自然界では僅かしか生育し、また、着底することのないサンゴの受精卵及び／又はプラヌラ幼生（以下、「卵・幼生」と略称する）を採取し、これを育成してサンゴの生育・着底を促進するためのサンゴ卵・幼生のダイレクトトラップによる保育方法および保育装置に関する。
【背景技術】
【０００２】
近年、埋立て等による浅海域の消失、農地開発や道路整備等の陸上開発に起因する海水透明度の低下、地球の温暖化による海水温の上昇等が原因し、沖縄を始めとする世界各地において、サンゴ群集の白化やへい死、死滅といったサンゴ礁の衰退が深刻な問題になっている。
【０００３】
然るに、ミドリイシ属等のサンゴを始めとする造礁サンゴは、その多くが一斉産卵によって毎年大量に卵と精子を放出し、海面付近で受精して受精卵となり、また、プラヌラ幼生に変態し、これら幼生が海面を漂い、やがて落ち着くべきところに着底し変態してポリプを形成し、更にサンゴ群体へと無性生殖によって増殖していく。そして、自然界では、幼生が着底し変態してポリプを形成する確率は、その初期消耗が激しいことに加えて、着底・変態のための環境条件が厳しく、極めて低い値に止まっており、自然に任せてサンゴ礁の衰退を食い止めることは難しい。
【０００４】
そこで、このサンゴ礁を人工的に復旧させるための試みも行われており、例えば、消波ブロック等のサンゴの着底基盤の表面にサンゴの着底を促進するための凹凸等の加工を施したり、岩盤や防波堤等に着床促進基材を固定する（特開2003-61,506号公報）ことからなるす基盤改良方法、健康なサンゴからその一部を切り取り、あるいは、分割して得た移植体を刺止突起、移植補助具等の手段で海底の所定の位置に固定し、あるいは、固定されることなく活着、成長させる移植方法（特開平6-303,875号、特開平7-39,270号、特開平8-112,048号、特開平9-121,712号、特開2001-238,563号、特開2001-321,001号、特開2002-45,075号公報）、サンゴが着底した海底の岩等の着底基盤をそのまま切り出して工事中一時的に退避させ、あるいは、移設する退避・移設方法、更には、サンゴ礁海域でサンゴの一斉産卵により生じたスリックから卵・幼生を採取し、屋内で培養し、コンクリート片、タイル、石等の着底基盤に着底させて実海域に移設したり（特開平11-276,013号、特開2002-272,307号の各公報）、あるいは、サンゴを着底させる海域には採取した卵・幼生を培養するための浮遊培養池(floating culture pond)を浮かべると共にその海底に着底基盤をネットで囲んで圃場を形成し、浮遊培養池で培養したサンゴの幼生を浮遊培養池の底部から圃場のネット内まで供給ホースで送り込んで着底させる（Mar Ecol Prog Ser 230; 113-118, 2002）等の卵・幼生を用いた種苗生産方法等が試みられている。
【０００５】
しかしながら、基盤改良方法にはプラヌラ幼生の供給が無い海域では効果が無く、また、移植方法には海中での移植片の切出し作業に多大な労力を要するほか、天然のサンゴ自体に多大なダメージを与え、ひいてはサンゴ礁に対してもダメージを与えるという問題があり、更に、退避・移設方法には重機等大掛かりな作業を要して高コストになり、しかも、退避・移設先がサンゴの生育に適さない海域であると結果として実効が挙がらない場合もある。
【０００６】
そこで、現状では種苗生産方法がもっとも期待されているところではあるが、産卵後に海面付近まで上昇したバンドルの薄皮が破れて１〜２時間後に受精し、その後２〜３時間で卵割が始まり、更に１２〜１８時間で胚になり、続いて２４〜３６時間で幼生へと変態し、この間、受精後の卵割期から胚になる時期は痛み易く、また、夜間だと卵・幼生を採取し難いこともあって、実際には卵・幼生の採取は翌朝にならざるを得ない。しかしながら、卵・幼生の採取が産卵の翌朝になると、強風等によりスリックが形成されずに卵・幼生の採取ができなくなることがあり、また、漁港等の防波堤内に卵・幼生がトラップされて採取できることもあるが、このような場所で採取された卵・幼生には、防波堤等に衝突してへい死した個体も含まれている場合が多く、このような場合にはへい死個体から溶出される粘着性物質により健康な受精卵やプラヌラ幼生がトラップされて衰弱し、更にはへい死に至り、一般的にはこのような漁港等の防波堤内等で採取された卵・幼生はその生存率が大幅に低下する。
【０００７】
また、サンゴの卵を採取する方法については、サンゴを覆うように海底に設置される漏斗状の本体部と、この本体部の上端細径側端部に着脱自在に連結された採取容器とで構成され、産卵後に本体部を介して採取容器内に集められた産卵直後のサンゴ卵を海底から回収するようにしたサンゴ卵の採取装置が提案されている（特開2002-272,307号公報）。しかしながら、この採取装置では、特定品種のサンゴ群体からその卵を採取するには適しているものの、比較的小さな採取容器に集めて回収するため、産卵直後の夜中に海底から回収する必要があり、比較的大規模なサンゴ群体からその卵・幼生を大量に採取する目的には不向きである。
【０００８】
【特許文献１】特開平6-303,875号公報
【特許文献２】特開平7-39,270号公報
【特許文献３】特開平8-112,048号公報
【特許文献４】特開平9-121,712号公報
【特許文献５】特開平11-276,013号公報
【特許文献６】特開2001-238,563号公報
【特許文献７】特開2001-321,001号公報
【特許文献８】特開2002-272,307号公報
【特許文献９】特開2002-45,075号公報
【特許文献１０】特開2003-61,506号公報
【非特許文献１】Mar Ecol Prog Ser 230; 113-118, 2002
【発明の開示】
【発明が解決しようとする課題】
【０００９】
そこで、本発明者らは、一斉に産卵され、また、傷つき易いサンゴの卵・幼生を傷つけることなく確実に採取することができ、しかも、安定した環境下で保育することができる手段について鋭意検討した結果、サンゴの卵・幼生採取時には浮力付与体から底部開放状態で海底の標的サンゴ付近上方まで垂下され、産卵されて浮上するサンゴの卵・幼生を採取する採取領域を区画し、また、採取したサンゴの卵・幼生保育時には底部が閉塞され、採取したサンゴの卵・幼生を保育する保育領域を区画する領域区画部材を用いることにより、目的を達成できることを見出し、本発明を完成した。
【００１０】
従って、本発明の目的は、一斉に産卵され、また、傷つき易いサンゴの卵・幼生を傷つけることなく確実に採取することができ、しかも、安定した環境下で保育することができるサンゴ卵・幼生のトラップ保育装置を提供することにある。
【００１１】
また、本発明の他の目的は、一斉に産卵され、また、傷つき易いサンゴの卵・幼生を傷つけることなく確実に採取することができ、しかも、安定した環境下で保育することができるサンゴ卵・幼生のトラップ保育方法を提供することにある。
【課題を解決するための手段】
【００１２】
すなわち、本発明は、サンゴ生息海域の海上であって、卵・幼生採取の目標となる標的サンゴの上方に浮かべられる浮力付与体と、この浮力付与体に取り付けられ、サンゴの卵・幼生採取時には浮力付与体から底部開放状態で海底の標的サンゴ付近上方まで垂下され、産卵されて浮上するサンゴの卵・幼生を採取する採取領域を区画し、また、採取したサンゴの卵・幼生保育時には底部が閉塞され、採取したサンゴの卵・幼生を保育する保育領域を区画する領域区画部材と、この領域区画部材に設けられ、少なくとも保育領域からサンゴの卵・幼生が外部に流出するのを防止する通水可能な換水ネット孔とを備えている、サンゴ卵・幼生のトラップ保育装置である。
【００１３】
また、本発明は、サンゴ生息海域の海上であって、卵・幼生採取の目標となる標的サンゴの上方に、浮力付与体と、浮力付与体に取り付けられて底部開放状態でサンゴの卵・幼生を採取する採取領域を区画すると共に底部閉塞状態でサンゴの卵・幼生を保育する保育領域を区画する領域区画部材と、この領域区画部材に設けられて少なくとも上記保育領域からサンゴの卵・幼生が外部に流出するのを防止する通水可能な換水ネット孔とを備えたトラップ保育装置を配置し、サンゴの卵・幼生採取時には上記領域区画部材を底部開放状態で海底の標的サンゴ付近上方まで垂下し、産卵されて採取領域内を浮上するサンゴの卵・幼生を採取し、また、サンゴの卵・幼生保育時には上記領域区画部材の下部を閉塞して形成された保育区画内で採取したサンゴの卵・幼生を保育する、サンゴ卵・幼生のトラップ保育方法である。
【００１４】
本発明において、トラップ保育装置を構成する浮力付与体は、サンゴの卵・幼生採取時に採取領域を区画すると共にサンゴの卵・幼生保育時に保育領域を区画する領域区画部材を、サンゴ生息海域の海上であって卵・幼生採取の目標となる標的サンゴの上方に浮かべることができるものであればよく、例えば、生簀用の筏、オイルフェンス、シルトフェンス等を例示することができる。
【００１５】
また、上記領域区画部材は、サンゴの卵・幼生採取時には浮力付与体から底部開放状態で海底の標的サンゴ付近上方まで垂下され、産卵されて浮上するサンゴの卵・幼生を採取する採取領域を区画し、また、採取したサンゴの卵・幼生保育時には底部が閉塞され、採取したサンゴの卵・幼生を保育する保育領域を区画するものであり、確実に採取領域や保育領域を区画することができ、また、採取しまた保育するサンゴの卵・幼生が外部に漏れ出すのを防止できればよく、特にその材質や形状、大きさ等に特別な制限はない。
【００１６】
上記領域区画部材の材質については、例えばポリ塩化ビニルシート（塩ビシート）、ポリエチレンシート等のシート材や板材等を例示することができるが、サンゴの卵・幼生は、その保育時に保育領域を区画する領域区画部材の喫水線付近に集まり、付着してへい死する傾向があるので、なるべくこのサンゴの卵・幼生が付着し難い材質を選択するのがよい。
【００１７】
また、この領域区画部材の形状については、例えば、上部に保育領域の周囲を区画する上部筒状部と、この上部筒状部の下端周縁部に設けられ、サンゴの卵・幼生採取時には少なくとも底部開放状態で海底の標的サンゴ付近上方まで垂下されて採取領域を区画し、また、サンゴの卵・幼生保育時には上記上部筒状部の底部を閉塞して保育領域を区画する下部垂下部とを有するものが挙げられ、上部筒状部については円形状であっても、矩形状であっても、また、多角形状であってもよく、また、領域区画部材の大きさについては、このトラップ保育装置を設置する海域やその環境、更には卵・幼生採取の標的サンゴの大きさ、密度等によって適宜設計できるものであり、通常は、卵・幼生の保育を考慮して、上部筒状部の深さについては０．３〜２．０m、好ましくは０．５〜１．０m程度であるのがよい。
【００１８】
更に、領域区画部材の下部垂下部については、単一の部材で形成されていても、また、複数の部材に分割されていてもよく、また、単純にのれん状に垂下されるものであってもよく、標的サンゴまでの垂下長さに応じて蛇腹状やスライド状に垂下長さが調節できるようになっているものであってもよく、更には、標的サンゴの大きさを考慮して下部が拡開されて末広がり状に垂下されるものであってもよい。そして、この下部垂下部の下端とその下に位置する卵・幼生採取の目標となる標的サンゴとの間の間隔については、標的サンゴから産卵されて上昇する卵・幼生を効率よく採取するために、通常は２m以下、好ましくは１m以下となるようにするのがよい。
【００１９】
そして、この領域区画部材には、少なくとも上記領域区画部材の保育領域を区画する部分に設けられ、この保育領域からサンゴの卵・幼生が外部に流出するのを防止する通水可能な換水ネット孔が設けられており、採取したサンゴの卵・幼生を所定の海域の海底に供給して着底させるまでの保育期間の間、保育領域内部の海水と外部の新鮮な海水との間で換水し、保育に適した環境を形成できるようになっている。この換水ネット孔の目合いについては、サンゴの卵・幼生が外部に留出するのを防止する上で０．２５mm以下であるのがよく、また、海水の通水性ができるだけ円滑になるように０．２mm以上であるのがよい。
【００２０】
本発明のトラップ保育装置において、好ましくは、その浮力付与体に、保育領域の外部から新鮮な海水を汲み上げて領域区画部材の保育領域内喫水線上部近傍に散水する散水装置を設け、この散水装置により、卵・幼生の保育期間中、保育領域内喫水線上部近傍に散水するのがよく、これによって、単に保育領域の外部から新鮮な海水を保育領域の内部に確実に供給できるだけでなく、保育領域内喫水線近傍に集まる傾向がある卵・幼生がこの保育領域内喫水線上部に付着し、海水中に戻れなくなって乾燥する等の原因でその場でへい死するのを確実に防止することができる。
【００２１】
上記散水装置についても、それが領域区画部材の保育領域内喫水線上部近傍に散水することができればよく、特に制限されるものではないが、例えば、海水を汲み上げる水中ポンプ又は揚水ポンプと、領域区画部材の保育領域内喫水線上部に配設され、上記の水中ポンプ又は揚水ポンプに接続され、所定の間隔を置いて設けられた多数のノズル孔を有する散水ホースとで構成されたものを例示することができる。
【００２２】
本発明のトラップ保育装置については、サンゴの卵・幼生採取時に、サンゴ生息海域の海上であって、卵・幼生採取の目標となる標的サンゴの上方に係留し、その領域区画部材の下部をその底部開放状態で海底の標的サンゴ付近上方まで垂下し、必要によりその下端部を海底に固定し、サンゴの卵・幼生を採取する採取領域を区画してサンゴの産卵を待つ。
産卵されたサンゴの卵・幼生は、この採取領域内を浮上して採取される。
【００２３】
通常、産卵のあった翌日には、領域区画部材の下部を閉塞してサンゴの保育領域を区画し、好ましくは散水装置でその保育領域内喫水線上部近傍に散水しながら卵・幼生の保育を行う。このサンゴの卵・幼生の保育は、サンゴの卵・幼生を採取したその場で引き続き行ってもよく、また、強風の時等の必要な場合には安全な場所まで曳航して行ってもよく、更には、生育したプラヌラ幼生を着底させる圃場まで曳航して行ってもよい。
【発明の効果】
【００２４】
本発明によれば、サンゴの卵・幼生採取時には浮力付与体から底部開放状態で海底の標的サンゴ付近上方まで垂下され、産卵されて浮上するサンゴの卵・幼生を採取する採取領域を区画し、また、採取したサンゴの卵・幼生保育時には底部が閉塞され、採取したサンゴの卵・幼生を保育する保育領域を区画する領域区画部材を用いることにより、一斉に産卵され、また、傷つき易いサンゴの卵・幼生を傷つけることなく確実に採取することができ、しかも、安定した環境下で保育することができる。
【発明を実施するための最良の形態】
【００２５】
以下、添付図面に示す実施例に基づいて、本発明の好適な実施の形態を具体的に説明する。
【００２６】
〔実施例１〕
図１〜図３に、本発明の実施例１に係るサンゴ卵・幼生のトラップ保育装置Ａが示されている。
このトラップ保育装置Ａは、四角形状のフレーム1aとこのフレーム1aの各辺にそれぞれ２個ずつ取り付けられた合計８個の浮き1bとで形成された浮力付与体１と、上端が上記フレーム1aに取り付けられ、上部には四角形状の上部筒状部３を有すると共に、この上部筒状部３の下部はその４つの各辺の下端縁部から垂下された四角形状の４枚の下部垂下部４とを有する塩ビシート製の領域区画部材２と、この領域区画部材２の上部筒状部３を構成する４つの側壁面にそれぞれ設けられた４つの通水可能な換水ネット孔５とで構成されている。
【００２７】
この実施例１において、４枚の下部垂下部４には、その各稜辺部に水中で使用可能な樹脂製ファスナーが設けられており、これによって、サンゴの卵・幼生採取時には、標的サンゴの上方でファスナーを開放し、下部垂下部４を垂下させ、産卵されて浮上するサンゴの卵・幼生を採取する採取領域を形成すると共に、サンゴの卵・幼生保育時には、ファスナーを閉じて下部垂下部４を底面とし、採取したサンゴの卵・幼生を保育する保育領域が形成される。
【００２８】
また、この実施例１では、上記浮力付与体１のフレーム1aには、装置外部から海水を汲み上げる水中ポンプ6aと、使用時に保育領域を形成する上記領域区画部材２の上部筒状部３内喫水線上部に配設され、上記の水中ポンプ6aに接続され、所定の間隔を置いて設けられた多数のノズル孔を有する散水ホース6bとで構成された散水装置６が設けられており、サンゴの卵・幼生保育時に上記領域区画部材２の上部筒状部３が形成する保育領域内喫水線上部近傍に新鮮な海水を散水し、この保育領域内喫水線近傍に集まって付着する傾向がある卵・幼生が付着するのを防止すると共に、トラップ保育装置Ａの外部から新鮮な海水を保育領域の内部に供給できるようになっている。
【００２９】
なお、図１〜図３において、符号７は領域区画部材２の各下部垂下部４に取り付けられた錘であり、図２に示すサンゴの卵・幼生採取時及び図３に示すサンゴの卵・幼生保育時に上部筒状部３及び下部垂下部４を確実に海中に垂下させる働きをしている。
【００３０】
従って、この実施例１のトラップ保育装置Ａによれば、サンゴの卵・幼生採取時には、図２に示すように、サンゴ生息海域の海上であって、卵・幼生採取の目標となる標的サンゴ８の上方まで曳航し、そこで浮力付与体１をロープ及び錨等の手段で係留し、領域区画部材２の上部筒状部３から４枚の下部垂下部４を開放して底部開放状態で海底の標的サンゴ８付近上方まで垂下させ、この標的サンゴ８の上方に、産卵されて浮上するサンゴの卵・幼生を採取する採取領域を形成し、サンゴの産卵を待つ。
【００３１】
サンゴの産卵が終了した後、図３に示すように、領域区画部材２の下部垂下部４を閉塞してサンゴの保育領域を形成し、同時に散水装置６でその保育領域内喫水線上部近傍に散水しながら卵・幼生の保育を行う。このサンゴの卵・幼生の保育は、サンゴの卵・幼生を採取したその場で引き続き行ってもよく、また、強風の時等の必要な場合には安全な場所まで、あるいは、必要により生育したプラヌラ幼生を着底させる圃場まで、図４に示すように、曳航して行ってもよい。
【００３２】
プラヌラ幼生がある程度まで生育し、着底場所を探す探索行動をとるようになった時点で、トラップ保育装置Ａを圃場まで曳航し、例えば、図５に示すように、圃場にサンゴの卵・幼生が拡散するのを防止すると共に外敵からプラヌラ幼生を保護する拡散防止ネット９を張設し、トラップ保育装置Ａの保育領域とこの圃場の拡散防止ネット９との間をホース10で接続し、圃場に必要な量のプラヌラ幼生を拡散防止ネット９内に送り込み、プラヌラ幼生が圃場の着底基盤に着底するまで、２〜３日程度の間、拡散防止ネット９でプラヌラ幼生を外敵から保護するようにする。
【００３３】
〔実施例２〜４〕
図６〜図８は、本発明のトラップ保育装置の他の実施例を示すものであり、図６(a)(b)に示す実施例２のトラップ保育装置Ｂは、その領域区画部材２の上部筒状部３の下端に設けられた下部垂下部４が蛇腹状に形成されており、標的サンゴ８に対して、下部垂下部４を伸縮させることができるようになっている。
【００３４】
また、図７(a)(b)に示す実施例３のトラップ保育装置Ｃは、その領域区画部材２の上部筒状部３の下端に設けられた下部垂下部４がスライド状に形成されており、標的サンゴ８に対して、下部垂下部４を伸縮させることができると共に、折り畳まれて上部筒状部３の底部を閉塞するようになっている。
更に、図８(a)(b)に示す実施例４のトラップ保育装置Ｄは、その領域区画部材２の上部筒状部３の下端に設けられた下部垂下部４の下部が標的サンゴ８の大きさを考慮して末広がり状に拡開するように形成されており、広範囲の標的サンゴ８に対して卵・幼生の採取領域を形成できるようになっている。
【産業上の利用可能性】
【００３５】
本発明のトラップ保育装置及びトラップ保育方法によれば、サンゴの卵・幼生採取時には浮力付与体から底部開放状態で海底の標的サンゴ付近上方まで垂下され、産卵されて浮上するサンゴの卵・幼生を採取する採取領域を区画し、また、採取したサンゴの卵・幼生保育時には底部が閉塞され、採取したサンゴの卵・幼生を保育する保育領域を区画する領域区画部材を用いるので、一斉に産卵され、また、傷つき易いサンゴの卵・幼生を傷つけることなく確実に採取することができ、しかも、安定した環境下で保育することができる。
【図面の簡単な説明】
【００３６】
【図１】図１は、本発明の実施例１に係るサンゴ卵・幼生のトラップ保育装置を示す斜視説明図である。
【図２】図２は、実施例１のトラップ保育装置によりサンゴの卵・幼生を採取する状態を示す使用状態の説明図である。
【図３】図３は、実施例１のトラップ保育装置によりサンゴの卵・幼生を保育する状態を示す使用状態の説明図である。
【００３７】
【図４】図４は、実施例１のトラップ保育装置を曳航する状態を示す説明図である。
【図５】図５は、実施例１のトラップ保育装置から圃場に生育したプラヌラ幼生を供給する状態を説明図である。
【００３８】
【図６】図６(a)は実施例２のトラップ保育装置によりサンゴの卵・幼生を採取する状態を示す使用状態の説明図であり、また、図６(b)は実施例２のトラップ保育装置によりサンゴの卵・幼生を保育する状態を示す使用状態の説明図である。
【図７】図７(a)は実施例２のトラップ保育装置によりサンゴの卵・幼生を採取する状態を示す使用状態の説明図であり、また、図７(b)は実施例２のトラップ保育装置によりサンゴの卵・幼生を保育する状態を示す使用状態の説明図である。
【図８】図８(a)は実施例２のトラップ保育装置によりサンゴの卵・幼生を採取する状態を示す使用状態の説明図であり、また、図７(b)は実施例２のトラップ保育装置によりサンゴの卵・幼生を保育する状態を示す使用状態の説明図である。
【符号の説明】
【００３９】
Ａ，Ｂ，Ｃ，Ｄ…トラップ保育装置
１…浮力付与体、1a…フレーム、1b…浮き、２…領域区画部材、３…上部筒状部、４…下部垂下部、５…換水ネット孔、６…散水装置、6a…水中ポンプ、6b…散水ホース、７…錘、８…標的サンゴ、９…拡散防止ネット。
【図１】
2005073600.tif 000003
【図２】
2005073600.tif 000004
【図３】
2005073600.tif 000005
【図４】
2005073600.tif 000006
【図５】
2005073600.tif 000007
【図６】
2005073600.tif 000008
【図７】
2005073600.tif 000009
【図８】
2005073600.tif 000010